(57)【要約】【課題】  遊技盤の着脱作業を容易化できる遊技盤の着脱補助機構を提供する。【解決手段】  所定のゲージ設定に形成された遊技盤２０を備え、打球発射装置により遊技球を遊技領域に打ち出して遊技を行う遊技機において、前枠の上部に遊技盤を後方から着脱可能に収容する収容枠１１を有し、その下部に後方に出没可能な遊技盤仮受け部材８２を設けて遊技盤の着脱補助機構８０を構成する。遊技盤仮受け部材８２は遊技機が遊技に供されるときに収容枠１１の下部に折りたたんで収容可能であり、保守作業等で遊技盤２０を着脱するときに遊技盤２０の着脱方向に突出変位させて遊技盤２０を仮支持可能に構成される。【選択図】  図１７
2005199106.tif 000002
【特許請求の範囲】
【請求項１】
前枠と、前記前枠に取り付けられて遊技球を発射する打球発射装置と、前記前枠の前面側に開閉可能に取り付けられたガラス扉と、遊技釘および入賞具を有して所定の遊技領域が形成され前記遊技領域が前記ガラス扉に臨むように配設される遊技盤とを備え、前記遊技球を前記打球発射装置により前記遊技領域に打ち出して遊技を行う遊技機において、
前記前枠の上部に前記遊技盤を後方から着脱可能に収容する遊技盤収容部が設けられ、
前記前枠の下部に前記遊技盤収容部の下側に位置して後方に出没変位可能な遊技盤仮受け部材を備え、
前記遊技盤仮受け部材は、前記遊技機が遊技に供されるときに前記遊技盤収容部の下側に収容可能であり、前記遊技盤を着脱させるときに前記前枠から後方に突出変位させて前記遊技盤を仮支持可能に構成されることを特徴とする遊技盤の着脱補助機構。
【発明の詳細な説明】
【技術分野】
【０００１】
本発明は、遊技釘および入賞具を有して所定の遊技領域が形成され、この遊技領域が遊技機前面のガラス扉に臨むように配設される遊技盤を備え、遊技球を打球発射装置により遊技領域に打ち出して遊技を行う遊技機に関し、さらに詳細にはこのような遊技機において遊技盤の着脱時に遊技盤を仮支持する遊技盤の着脱補助機構に関する。
【背景技術】
【０００２】
上記のような遊技機としてパチンコ機、アレンジボール機、いわゆる雀球遊技機などがある。この種の遊技機の代表例として例示されるパチンコ機では、案内レールで囲まれた遊技領域内に多数本の遊技釘や風車、種々の入賞具等が所定のゲージ設定で配設された遊技盤を有し、この遊技盤の遊技領域に打球発射装置から遊技球を打ち出して入賞具に落入させ入賞条件に応じた賞球の払出を受けることで、その賞球の増減を通して遊技を展開するように構成されている。
【０００３】
遊技盤は、上下の球皿や打球発射装置の操作ハンドルなどが設けられた前枠の前面側もしくは後面側、または、遊技球を貯留するタンク部材や球払出装置などの賞球機構が設けられて前枠の裏側に配設される裏機構部材の前面側に取り付けられ、前枠の前面側に横開き開閉可能に取り付けられたガラス扉を通して遊技領域を遊技者に臨ませるように構成される。
【０００４】
ここで、遊技盤の取付構造は、機種変更時における組み立て工程の対応の迅速化や遊技施設における遊技盤の交換作業容易化等のため着脱交換可能に構成することが望ましい。そして、遊技盤の着脱交換に当たっては遊技盤側の構成部材と前枠側の構成部材との位置関係を一定の位置精度内に維持させる構成が好ましい。このため、例えば、遊技盤を前枠の裏面側から着脱させる形態（本明細書において便宜的に「前枠後方着脱形態」という）の遊技機にあっては、前枠の裏面側に遊技盤の基板となる化粧板の外形寸法よりもわずかに（例えば巾方向に１mm程度）大きめな枠寸法を有する額縁状の収容枠を形成するとともに、収容枠には前方の支持面から裏面方向に向けて突出する位置決めピンを設け、化粧板には位置決めピンと嵌脱自在に係合する位置決め孔を形成して、これらを嵌合させることで遊技盤の着脱交換に拘わらず相互の位置関係が一定となるように構成している。収容枠にはこのようにして枠内に収容された遊技盤を固定保持する閉鎖クランプが設けられており、作業者がこの閉鎖クランプを操作することで遊技盤が収容枠に固定保持される。
【発明の開示】
【発明が解決しようとする課題】
【０００５】
上記のような従来の遊技盤取付構造では、作業者が遊技盤を着脱する際に、収容枠と化粧板とのわずかな隙間を利用して遊技盤をはめ込みあるいは引き出し操作せざるを得ない。ところが、遊技盤は大きさが概ね縦４７０mm×横４２０mm程度、質量が３〜５kg程度あり、その前面側には多数本の遊技釘が突出している。このため、遊技盤を装着するときには遊技盤に前方視界が遮られて収容枠の位置を正確に認識しにくく、わずかな隙間を利用して大型かつ重量のある遊技盤を装着する作業は熟練した作業者にとっても煩雑かつ重労働であるという問題があった。
【０００６】
一方、遊技盤を取り外すときには、閉鎖クランプによる係止を解除して収容枠から遊技盤を手前に引き抜く作業を行うが、遊技盤の位置決め孔が収容枠側の位置決めピンに嵌合した状態にあり、大型かつ重量のある遊技盤を片手で支持しながら嵌合状態を解除させなければならないという問題があった。また遊技機によっては遊技盤前面のセルが収容枠の前方支持面に張り付いた状態となっている場合もあり、このような嵌合状態や張り付き状態を解除させて遊技盤を取り外す作業中に、遊技盤が収容枠から急に滑り出て遊技盤を落下させるおそれがあるという問題もあった。とくに、遊技機を遊技施設に設置した後の盤面交換作業は遊技盤の着脱を習熟していない作業者が行うことが多く、熟練作業者でなくても容易に遊技盤の着脱交換を行うことができる遊技機が求められていた。
【０００７】
本発明は、このような問題に鑑みて成されたものであり、遊技盤の着脱作業を容易化し作業性を向上させた遊技機を提供することを目的とする。
【課題を解決するための手段】
【０００８】
上記問題を解決して目的を達成するため、本発明は、前枠に取り付けられて遊技球を発射する打球発射装置と、前枠の前面側に開閉可能に取り付けられたガラス扉と、遊技釘および入賞具を有して所定のゲージ設定に形成された遊技領域がガラス扉に臨むように配設される遊技盤とを備え、遊技球を打球発射装置により遊技領域に打ち出して遊技を行う遊技機において、前枠の上部に遊技盤を後方から着脱可能に収容する遊技盤収容部（例えば、実施形態における収容枠１１）が設けられ、前枠の下部に遊技盤収容部の下側（例えば、実施形態における遊技補助盤１５の裏面側）に位置して後方に出没変位可能な遊技盤仮受け部材が備えられている。この遊技盤仮受け部材は、遊技機が遊技に供されるときに遊技盤収容部の下側に収容可能であり、遊技盤を着脱させるときに前枠から後方に突出変位させて遊技盤を仮支持可能に設けられて遊技盤の着脱補助機構が構成される。
【発明の効果】
【０００９】
このような構成の遊技盤の着脱補助機構では、遊技盤収容部の下側に位置して、遊技盤の着脱方向である後方に出没変位可能な遊技盤仮受け部材が備えられており、遊技盤を着脱する作業時に、遊技盤仮受け部材を後方に突出変位させて遊技盤を仮支持させることができるように構成されている。このため、遊技盤を装着しようとする作業者は、遊技盤収容部の下側に収容されていた遊技盤仮受け部材を後方に突出変位させて仮支持可能な状態に設定し、装着しようとする遊技盤を一旦この遊技盤仮受け部材に仮支持させた状態で細かい位置合わせを行うことができ、これにより容易に遊技盤を装着させることができる。
【００１０】
また遊技盤を取り外す際に遊技盤仮受け部材を突出させておき、取り外し過程の遊技盤を一旦遊技盤仮受け部材に支持させることで、無理な姿勢をとることなく両手で搬出に適宜な位置を把持して遊技盤を取り外すことができる。さらに、例えば取り外し作業中に遊技盤が急に滑り出たような場合であっても、滑り出た遊技盤が遊技盤仮受け部材に支持されるため、遊技盤を落下させるおそれを大幅に低減させることができる。
【００１１】
従って、このような遊技盤の着脱補助機構を備えた遊技機によれば、熟練作業者でなくとも容易に遊技盤の着脱作業を行うことができ、作業性を向上させた遊技機を提供することができる。
【発明を実施するための最良の形態】
【００１２】
以下、本発明の好ましい実施形態について図面を参照しながら説明する。本発明に係る遊技盤の着脱補助機構を備えた遊技機の代表例として、遊技盤を前枠の裏面側から着脱する前枠後方着脱形態のパチンコ機ＰＭを図１〜図３に例示しており、まず、これらの図面を参照しながらパチンコ機ＰＭの全体構成について要約説明する。ここで、図１はパチンコ機ＰＭを正面側から見た正面図、図２はパチンコ機ＰＭを裏面側から見た背面図、図３は裏セット盤を取り外した状態の前枠の背面図である。なお、図２および図３では遊技盤の裏面中央部の記載を省略している。
【００１３】
パチンコ機ＰＭは、外郭方形枠サイズに構成されて縦向きの固定保持枠をなす外枠１の開口前面に、これに合わせた方形枠サイズに構成されて開閉搭載枠をなす前枠２が互いの左側縁に配設された上下のヒンジ機構３ａ，３ｂにより横開き開閉および着脱が可能に取り付けられ、常には右側縁に設けられた施錠装置４を利用して外枠１に閉鎖施錠された状態で保持される。
【００１４】
前枠２の正面側には、前枠２の前面域に合わせた方形状をなし中央部に取り付けられたポリカーボネート板やガラス板等の透明板材を通して遊技盤２０を透視可能なガラス扉５、および球皿に貯留された遊技球を整列させて１個ずつ打球発射装置９に導く上球皿６が、ともに左側縁に内蔵されたヒンジ機構により横開き開閉および着脱が可能に組付けられ、常には施錠装置４および図示省略するロック機構を利用して前枠２の前面を覆う閉止状態で保持される。前枠２の下部には遊技球を貯留する下球皿７設けられ、この下球皿７と並んで遊技球の発射操作を行う操作ハンドル８が取り付けられている。
【００１５】
前枠２の上部には、遊技盤２０を収容保持する収容枠１１が形成されている。収容枠１１は、前枠２から裏面方向に立設された壁面構成の左右ならびに下方の枠部と、これらの枠部の前方に額縁状に形成された前方支持部（図３では点線で示す）とを有し前枠２と一体に成形される。収容枠１１における左右枠部の内面寸法は遊技盤２０の幅寸法よりも１〜２mm程度大きく形成され、前方支持部の上下所定位置に支持面から裏面方向に突出し先端部がテーパ状に形成された位置決めピン１１ｐ，１１ｐが突出成形されている。収容枠１１の後縁部には、遊技盤２０および裏セット盤３０をそれぞれ横開き開閉並びに着脱可能に支持する固定ヒンジ部材１２，１３が上下に所定間隔をおいてねじ固定されるとともに、収容枠１１に収容した遊技盤２０を固定する閉鎖クランプ１４（１４ａ，１４ｂ，１４ｃ）が回動操作可能に取り付けられている。
【００１６】
遊技盤２０は板厚１９mm程度の積層合板を図示する所定形状に切断およびルーター加工して、その表面に所定意匠のセルを貼り付けた化粧板（ベニヤとも称される）２１を基板として構成される。化粧板２１の前面側には、帯状の外レール２４ａおよび内レール２４ｂが円弧状に固設され、これらの案内レール２４ａ，２４ｂで囲まれた内側に遊技領域ＰＡが区画される。遊技領域ＰＡには、多数本の遊技釘とともにランプ風車２５ａや一般風車２５ｂ等の風車２５、一般入賞具２６ａや始動入賞具２６ｂ並びに大入賞口を備えたアタッカー２６ｃ等の入賞具２６、および遊技の進行状況に応じて所定の図柄を表示させる図柄表示装置２８などが取り付けられ、遊技領域ＰＡの下端には入賞具２６に入賞せずに落下した遊技球を遊技盤２０の裏面側に排出させるアウト口２７が設けられている。
【００１７】
背面視における化粧板２１の右側部の上下に遊技盤揺動ヒンジ部材２２，２３が取り付けられており、これらの遊技盤揺動ヒンジ部材２２，２３を収容枠１１側の上下の固定ヒンジ部材１２，１３に係合させて揺動させあるいは係脱させることで、遊技盤２０が横開き開閉および着脱可能に支持される。また、収容枠１１の前方支持部と当接する化粧板２１の所定位置には、前方支持部に突出成形された位置決めピン１１ｐ，１１ｐと嵌脱可能な位置決め孔２１ｐ，２１ｐが穿設されている。このため、固定ヒンジ部材１２，１３と遊技盤揺動ヒンジ部材２２，２３とからなる遊技盤ヒンジ機構を利用して遊技盤２０を収容枠１１に横開き開閉可能に支持させ、位置決めピン１１ｐ，１１ｐと位置決め孔２１ｐ，２１ｐとの嵌合を利用して遊技盤２０を位置決めさせ、閉鎖クランプ１４を回動操作して遊技盤を固定することで、遊技盤２０が前枠２に対して一定の位置関係にセット保持される。
【００１８】
前枠２の裏面下部には、遊技球を外レール２４ａに向けて発射する打球発射装置９、および操作ハンドル８の回動操作を受けて打球発射装置９の作動を制御する発射装置制御基板Ｂ２が取り付けられる。前枠２におけるこれらの装置９および基板Ｂ２と収容枠１１との間の上下中間領域には、遊技補助盤１５と称される補助機構部が形成され、その前面側に打球発射装置９によって打ち出された遊技球を外レール２４ａに向けて案内する発射レールや、遊技領域ＰＡに到達できずに打球発射装置９側に戻ってきたファール球を下球皿７に排出させるファール球回収経路部材、遊技の展開状況に応じた効果音を発生させるスピーカなどが取り付けられている。遊技補助盤１５は上球皿６の背後に位置しており、常には閉鎖保持される上球皿６によりその前面側が覆われている。
【００１９】
前枠２の背後に位置して、裏セット盤（裏機構盤とも称される）３０が取り付けられる。裏セット盤３０は、外枠１の内寸サイズよりも幾分小さめの方形状をなし中央に表裏貫通する窓口３１ｗを有して一体成形された基枠体３１をベースとして構成される。基枠体３１の側縁部には上下に所定間隔をおいて裏セット盤揺動ヒンジ部材３２，３３が固定されており、この上下の裏セット盤揺動ヒンジ部材３２，３３を収容枠１１側の上下の固定ヒンジ部材１２，１３に係合させて揺動させあるいは係脱させることで、裏セット盤３０が前枠２の背後に横開き開閉および着脱可能に装備され、常には３カ所の閉鎖レバー３４を利用して前枠２の背面を覆うように閉鎖保持される。
【００２０】
裏セット盤３０には、窓口３１ｗを取り囲むようにして賞球を払い出すための賞球装置や遊技球の処理経路が設けられる。すなわち、基枠体３１の裏面側には、遊技球の貯留・供給を行うタンク部材４１、タンク部材４１から供給される遊技球を整列させて流下させる整列樋部材４２、整列樋部材から供給される遊技球を受けて所定数量の遊技球を待機保持させる賞球待機通路４３、賞球待機通路４３に待機された遊技球を所定の入賞条件等に基づいて払い出す球払出装置４５、球払出装置４５から払い出された遊技球を上下の球皿６，７に導く賞球払出経路４７などの賞球装置よび賞球経路が設けられている。また、基枠体３１の前面側には、窓口３１ｗの下方に位置して遊技盤２０の裏面側に排出されたアウト球およびセーフ球、球抜き機構によって賞球経路から排出された抜き球等を集合させる集合経路が形成され、基枠体３１の裏面側には集合経路と繋がって集合された遊技球を遊技施設側の回収バケットに排出させる球排出経路が形成されている。
【００２１】
また、裏セット盤３０の裏面各部には、パチンコ機ＰＭの作動を統括的に制御するメイン基板Ｂ１や、メイン基板Ｂ１からの指令信号に基づいて球払出装置の作動制御を行う球払出基板Ｂ３、効果照明や効果音の作動制御を行うランプ・音声制御基板Ｂ４、これらの制御基板や各種電子機器等に電力を供給する電源基板Ｂ５などの回路基板が着脱交換可能に取り付けられ、各回路基板や電子機器が図示しないワイヤーハーネスで接続されてパチンコ機ＰＭが構成される。
【００２２】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００２３】
このように概要構成されるパチンコ機ＰＭにあって、機体の上部には図４および図５に示すように、外枠１に対して前枠２を開放状態に保持させる前枠開放保持機構１５０と、開放された前枠２に対して裏セット盤３０を開放保持させる裏セット盤開閉保持機構１６０とが設けられている。
【００２４】
ここで、図４は、前枠開放保持機構１５０により外枠１に対して前枠２を開放状態に保持させ、裏セット盤開放保持機構１６０により前枠２に対して裏セット盤３０を開放保持させた状態の平面図を示し、図５は前枠開放保持機構１５０により開放保持された前枠２の背面図を示している。なお、以降では前枠２を背面側から見た構成を主として説明するため、説明の便宜上、図３における左右方向を左方または右方と称し、紙面直交方向の向こう側（パチンコ機ＰＭの前面側）を前方、手前側（同裏面側）を後方と称して説明する。
【００２５】
前枠開放保持機構１５０は、基端部が外枠１に水平面内に揺動可能に取り付けられた前枠開放保持部材１５１と、前枠２における収容枠１１の上方に取り付けられた係合部材１５５とからなり、前枠２を開放させて前枠開放保持部材１５１の先端部を係合部材１５５に係合させることで、外枠１に対して前枠２を開放状態に保持させる。
【００２６】
前枠開放保持部材１５１は、例えば、所定線径のみがき鋼棒の両端に旋削や転造等によりねじ部を形成し、基端側および先端側を図示するクランク状の形状に曲げ加工し、必要に応じて所要の表面処理を施すとともに、両側の所定位置にワッシャ１５２（１５２ａ，１５２ｂ）をカシメ締結し、あるいはスナップリング等を嵌着固定して構成する。前枠開放保持部材１５１は、基端側の揺動端部１５１ａを外枠１に穿設された取付孔に外枠下面側から挿入し、外枠１の上面に設けられたザグリ穴側の上方から座金を介してナット１５３ａを締め付けることで、この取付穴の軸まわりに水平旋回可能に取り付けられる。なお、必要に応じてナット１５３ａまたはねじ部に緩み止め処理を施し、あるいは穴深さに応じた長さのカラー等を嵌挿してナット１５３ａを締め付けることにより、ナット１５３ａの緩みを防止して前枠開放保持部材１５１を常時滑らかに揺動させることができる。また、前枠開放保持部材の先端側の係合端部１５１ｂにはナット１５３ｂが螺合されている。
【００２７】
係合部材１５５には前枠開放保持部材の係合端部１５１ｂを受容可能な凹状の係合部１５５ａ，１５５ｂが形成されており、例えば、ＡＢＳ樹脂等の樹脂材料を用いて射出成形等の成形手段で図示する形状に構成し、あるいは金属材料を用いて鋳物やダイキャスト、板金部材の溶接構造等により図示する形状に構成する。係合部材１５５は前枠開放保持部材の係合端部１５１ｂを係合させたときに、前枠２と外枠１とがなす開き角が所定の２段階の開放保持角となるように、係合部が２カ所に形成されており、収容枠１１上方の所定位置にねじ止めされる。
【００２８】
ここで、上記２段階の開放保持角は、例えば、係合端部１５１ｂを一方の係合部１５５ａに係止させたときに前枠２の開き角が９０度となり、他方の係合部１５５ｂに係止させたときの開き角が、遊技島ＳＢの配設ピッチや隣り合うパチンコ機との位置関係から開放可能な最大の開き角（例えば１００度）となるように設定される。これにより作業者は係合端部１５１ｂを上記いずれかの係合部１５５ａ，１５５ｂに係合させることで、所望の開放角度で前枠２を開放保持させることができる。なお、係合部１５５ａ，１５５ｂの配設高さは遊技盤２０の上面や裏セット盤３０の上面よりも上方に設定されており、前枠開放保持部材１５１を用いて前枠２を開放保持させた状態でも、遊技盤２０や裏セット盤３０を自由に開放・閉鎖しあるいは着脱交換できるように構成されている。
【００２９】
外枠１の上面部材の内側には、前枠開放保持部材１５１を格納したときに前枠開放保持部材１５１の先端部を掛支して収容保持する掛支部材１５８が設けられている（図では外枠１の上面に取り付けられた掛支部材１５８をその取付面側から見た状態を示している）。このため、作業を終了した作業者が、前枠開放保持部材１５１を揺動させて係合端部１５１ｂ側を掛支部材１５８に掛支させることで、前枠開放保持部材１５１を格納姿勢に収容保持させることができ、この格納姿勢を保持させて前枠２を閉鎖することができる。
【００３０】
一方、裏セット盤開放保持機構１６０は、正面視における外枠１の右側面部材の内側に揺動可能に枢結された裏セット盤開放保持部材１６１を主体として構成される。裏セット盤開放保持部材１６１は、図４中に部分拡大図を示すように、略円筒状に形成された基端部１６１ａとこの基端部から延びて先端がフック状に形成された係止部１６１ｂとからなり、例えばＡＢＳ樹脂等の樹脂材料を用いて射出成形等の成形手段により一体成形される。
【００３１】
裏セット盤開放保持部材１６１は、その基端部１６１ａが、正面視における外枠１の右側面部材の内側にリベット等の締結手段により垂直面内に回動可能に枢結され、この開放保持部材１６１を回動させることで先端の係止部１６１ｂを外枠１の前面側に突出させ、あるいは外枠１の内側に収容させることができる。先端の係止部１６１ｂはフック状に形成されており、この係止部１６１ｂを外枠１の前方に突出させたときに、裏セット盤３０のタンク部材４１の後方壁面をこの係止部１６１ｂと外枠１の前端面との間に挟持するようにして係止保持可能に構成されている。
【００３２】
このため、開放保持部材１６１を回動させて先端の係止部１６１ｂを外枠１の前面側に突出させ、開放させた裏セット盤３０のタンク部材４１に係止部１６１ｂを係合させることで裏セット盤３０を開放状態に保持させることができ、また開放保持部材１６１を回動させて先端の係止部１６１ｂを下方（または上方）に位置させることで、裏セット盤開放保持部材１６１を外枠１の内側に収容して裏セット盤３０および前枠２を閉鎖することができる。
【００３３】
従って、上記のように構成される前枠開放保持機構１５０および裏セット盤開放保持機構１６０によれば、前枠２を開放して前枠開放保持部材１５１を揺動展開し先端の係合端部１５１ｂを左右いずれかの係合部１５５ａ，１５５ｂに係合させることで、前枠２を所望の開放角度位置に保持させることができ、またこのように前枠２を開放させた状態で裏セット盤３０を後方に開き、開放保持部材の係止部１６１ｂをタンク部材４１に係合させることで、裏セット盤３０を開放状態に保持させることができる。これにより、作業者は前枠２および裏セット盤３０をともに開放保持させた状態で遊技盤２０の着脱作業等を行うことができる。
【００３４】
なお、前枠開放保持機構１５０により前枠２が開放保持された状態において、係合端部１５１ｂに螺合されたナット１５３ｂを締め付けることにより、前枠２を開放状態に固定することも可能である。これにより、例えば遊技盤２０の着脱交換時に作業者が誤って遊技盤２０の上端部を前枠開放保持部材１５１に当接させ、係合端部１５１ｂと係合部（１５５ａまたは１５５ｂ）との係合を解除するような外力が作用しても、ナット１５３ｂの締結力により係合が解除されることがなく、前枠２の開放状態を強固に維持させることができる。
【００３５】
さて、このようにして開放状態が保持される前枠２の裏面側に、遊技時に前枠２の裏面側に収容され、遊技盤２０の着脱時に遊技盤の着脱方向に突出変位させて遊技盤２０を仮支持可能な遊技盤仮受け部材を有した遊技盤の着脱補助機構５０，６０，７０，８０，９０が設けられる。図６〜図１０に第１実施例の着脱補助機構５０を示しており、まず、これらの図面を参照して着脱補助機構５０の構成について説明する。なお、図６は着脱補助機構５０の構成を説明するための分解斜視図、図７は収容姿勢にある着脱補助機構５０を裏面側から見た背面図、図８は着脱補助機構５０における収容姿勢(A)〜中間状態(B)〜仮支持姿勢 (C)にわたる変化を示す説明図（側断面図）、図９は仮支持姿勢にある着脱補助機構５０を裏面側から見た背面図、図１０は仮支持姿勢にある着脱補助機構５０を上方から見た平面図（部分断面図）である。
【００３６】
着脱補助機構５０は、前枠２における遊技補助盤１５の裏面側にねじ固定されるベース部材５１、ベース部材５１の上部に揺動可能に枢支される遊技盤仮受け部材５２、ベース部材５１の下部に揺動可能に取り付けられて遊技盤仮受け部材５２を突出変位させた角度位置で支持する支持部材５３を主体として構成される。なお、着脱補助機構５０では、遊技盤仮受け部材５２と支持部材５３とが揺動変位する形態のため、これらの部材の構成を説明するにあたっては、図６に示す姿勢の方向をもって前後左右と称して説明する。
【００３７】
ベース部材５１は、基板となるベース部５１ａと、このベース部５１ａから上方に延びるとともに前方にオフセット成型された位置決め部５１ｂ、位置決め部５１ｂの左右端部が直角に折り曲げられて後方に突出する固定ヒンジ部５１ｃ、ベース部５１ａの下端部が左右に張り出されその端部が直角に折り曲げられて後方に突出する支持部５１ｄなどからなる。
【００３８】
ベース部５１ａにはベース部材５１を取り付けるための３カ所のねじ孔５１ｈが形成され、位置決め部５１ｂには前枠２に対するベース部材５１を位置決めするための２カ所の位置決め孔５１ｐが、左右の固定ヒンジ部５１ｃには枢結ピン５５を受容して遊技盤仮受け部材５２を揺動可能に枢支する固定ヒンジ孔５１ｑが、左右の支持部５１ｄには支持部材５３を揺動可能に支持するための支持孔５１ｒが、それぞれ形成されている。
【００３９】
このように、位置決め部５１ｂをベース部５１ａよりも前方にオフセットして形成し、この位置決め部５１ｂの左右を後方に折り曲げて固定ヒンジ部５１ｃを形成しているため、ベース部材５１を固定するための取付ボス１６ａが遊技補助盤１５の前面側に突出することがなく、かつ左右の固定ヒンジ孔５１ｑ（すなわち遊技盤仮受け部材５２の揺動軸）を収容枠１１から後方に突出させることなく収容枠の厚さ内に配設している。なお、ベース部材５１は、所定板厚の冷間圧延鋼板やステンレス鋼板等をパンチングやプレス成形等の公知の加工手段により図示する形状に成型し、必要に応じて所要の表面処理を行って構成する。
【００４０】
遊技盤仮受け部材５２は、遊技盤２０を支持する支持面部５２ａと、この支持面部５２ａから前方に延びるとともに下方にオフセット成形された逃げ部５２ｂ、逃げ部５２ｂの左右端部が直角に折り曲げられて下方に突出する揺動ヒンジ部５２ｃ、支持面部５２ａの左右端部が直角に折り曲げられて下方に突出する支持受け部５２ｄなどからなる。揺動ヒンジ部５２ｃには枢結ピン５５を受容して左右の固定ヒンジ部５１ｃに揺動可能に支持される揺動ヒンジ孔５２ｑが形成され、支持受け部５２ｄには支持部材５３と係合する長孔状の支持受け孔５２ｒが形成されるとともに、この支持受け孔５２ｒに支持部材５３を受容するための切り欠き部５２ｓが形成されている。
【００４１】
遊技盤仮受け部材５２における支持面部５２ａは、遊技盤仮受け部材５２がベース部材５１に枢結され、支持部材５３により仮支持姿勢（図８(C)の状態）に係止されたときに支持面部５２ａの上面が収容枠１１の上面よりもわずかに高くなるように形成される。また左右の支持受け部５２ｄはこれらの内面間隔がベース部５１ａの幅よりも大きく、かつ支持受け部５２ｄの外面間隔が左右の支持部５１ｄの内面間隔よりも小さくなるように相互間隔を設定している。遊技盤仮受け部材５２は、ベース部材５１と同様の板材を用い同様の加工手段により形成される。
【００４２】
支持部材５３は、遊技盤仮受け部材５２の左右の支持受け孔５２ｒと係脱可能な支持バー部５３ａと、この支持バー部の左右が直角に折り曲げられて平行に延びる支持脚部５３ｂ、左右支持脚部５３ｂの先端側が支持バー部５３ａと平行にそれぞれ左右外方に屈曲され端部に雄ネジが形成されるとともにその基端側にフランジ部が設けられた揺動軸部５３ｃなどから構成される。
【００４３】
支持部材５３は、左右の支持脚部５３ｂの内面間隔が支持バー部５３ａ側で支持受け部５２ｄの外面間隔よりも幾分大きく設定される一方、揺動軸部５３ｃ側で狭められたΩ形に形成されており、左右の支持受け部５２ｄを挟むように係合して遊技盤仮受け部材５２を左右にぶれることなく支持するとともに、着脱補助機構５０の幅寸法を小型に構成している。支持部材５３は、例えば所定線径のみがき鋼棒の両端に旋削や転造等によりねじ部を形成したうえで図示する形状に曲げ加工し、必要に応じて所要の表面処理を施すとともに、両側の所定位置にワッシャをカシメ締結しあるいはスナップリング等を嵌着固定して構成する。
【００４４】
遊技盤仮受け部材５２と支持部材５３とは、それぞれ枢結ピン５５およびナット５７を利用してベース部材５１に取り付けられる。遊技盤仮受け部材５２は、左右の揺動ヒンジ部５２ｃに形成された揺動ヒンジ孔５２ｑと左右の固定ヒンジ部５１ｃに形成された固定ヒンジ孔５１ｑとを位置合わせして連通させ、これらの孔部を貫通するように枢結ピン５５挿通させて、突出した先端側にＥリング５６を嵌着することで固定ヒンジ部５１ｃに揺動自在に枢結される。支持部材５３は、左右支持脚部５３ｂ，５３ｂの間隔を狭めるように弾性変形させて、先端の雄ネジ部を左右の支持孔５１ｒ，５１ｒに挿通させ、突出した端部にナット５７，５７を螺合させることで支持部５１ｄ，５１ｄに揺動可能に支持される。
【００４５】
こうして組み立てられた部分組立体が遊技補助盤１５に取り付けられる。遊技補助盤（前枠２における収容枠１１の下部領域）１５の裏面側には、遊技盤着脱補助機構５０を取り付けるための機構取付部１６が設けられている。機構取付部１６には、位置決め部５１ｂに形成された２カ所の位置決め孔５１ｐと係合してベース部材５１の上下左右位置及び角度姿勢を規定する位置決めピン１６ｐ、およびベース部材５１が位置決めされたときにベース部５１ａに形成された３カ所のねじ孔５１ｈと位置整合するねじ受容部を有した円筒状の取付ボス１６ａが突出成型されるとともに、遊技補助盤１５の下方のリブには左右の支持脚部５３ｂの幅および線形に合わせた切り欠き部１６ｃが形成されている。
【００４６】
このため、作業者がベース部材５１の２カ所の位置決め孔５１ｐを位置決めピン１６ｐに嵌合させて位置決めし、各ねじ孔５１ｈにねじ５８を挿通させて取付ボス１６ａにねじ止めすることにより、ベース部材５１を含む部分組立体が遊技補助盤１５の所定位置に位置決め固定される。
【００４７】
このように構成される遊技盤の着脱補助機構５０は、図７に示す収納姿勢と、図９および図１０に示す仮支持姿勢とに変位させることができる。図８には着脱補助機構５０の収容姿勢(A)〜中間状態(B)〜仮支持姿勢(C)にわたる変化の態様を示しており、以下この図８を主に参照しながら着脱補助機構５０の作用について説明する。
【００４８】
パチンコ機ＰＭが遊技に供される遊技時には、着脱補助機構５０が図８(A)に示す収容姿勢に保持される。この収容姿勢では、支持部材５３は支持孔５１ｒに支持された揺動軸部５３ｃを揺動軸として支持バー部５３ａが垂下した状態に配設され、左右の支持脚部５３ｂが遊技補助盤１５の下方のリブに形成された切り欠き部１６ｃに収容される。遊技盤仮受け部材５２は枢結ピン５５を揺動軸として支持面部５２ａが前枠の裏面下方を向くように垂下する。
【００４９】
前述したように、左右の支持受け部５２ｄはこれらの内面間隔がベース部５１ａの幅よりも大きく、かつ支持受け部５２ｄの外面間隔が左右の支持部５１ｄの内面間隔よりも小さくなるように相互間隔を設定している。このため遊技盤仮受け部材５２を収容姿勢にしたときに、左右の支持受け部５２ｄがベース部材５１に当接することなく、ベース部５１ａの左右側方に位置してコンパクトに収容される。また遊技盤仮受け部材５２の揺動軸が収容枠１１の後端面よりも内側に設けられ、逃げ部５２ｂが支持面部５２ａよりも前方にオフセット成形されているため、収容姿勢において遊技盤仮受け部材５２の各部が後方に大きく突出するようなことがない。このため着脱補助機構５０はわずかな厚さ（前後方向寸法）に折りたたむことができ、前枠２と裏セット盤３０との間に収容保持させることができる。
【００５０】
上記のような収容姿勢から、遊技盤２０を仮支持可能な仮支持姿勢に変化させるときには、図８(B)に示すように、遊技盤仮受け部材５２を枢結ピン５５まわりに上方に揺動させ、支持部材５３を揺動軸部５３ｃまわりに上方に揺動変位させて、支持部材の支持バー部５３ａを切り欠き部５２ｓを通して支持受け孔５２ｒ内に導入する。そして、遊技盤仮受け部材５２を下方に揺動させ支持部材５３を裏面方向に傾動させて支持バー部５３ａを支持受け孔５２ｒの後方に移動させ、支持バー部５３ａを支持受け孔５２ｒの後端部と係合させることで、着脱補助機構５０が図８(C)に示すような仮支持姿勢に設定される。
【００５１】
仮支持姿勢では、遊技盤仮受け部材５２が収容枠１１の裏面方向（すなわち遊技盤２０の着脱方向）に突出した状態で係止され、支持面部５２ａの上面が収容枠１１の上面よりもわずかに高い位置で平行に配設される（図９を参照）。支持部材５３は支持受け部５２ｄと支持部５１ｄとの間を繋ぐ梁として機能し、支持面部５２ａに上方から作用する荷重に抗して、遊技盤仮受け部材５２を仮支持姿勢に保持させる。支持部材５３における左右の支持脚部５３ｂは、左右の支持受け部５２ｄを外側から挟み込むように位置しており、支持面部５２ａに荷重が作用したときに、係合が外れたりねじれが生じたりし難い構成となっている。なお、支持バー部５３ａに図６中に二点鎖線で示すように、左右の支持受け部５２ｄの内面間隔に合わせたなカラー５３ｋを固設し、あるいは内面間隔に合わせた左右位置にスナップリングを嵌着等することにより、上記抗力をより高めた構成とすることも可能である。
【００５２】
さて、このようにして着脱補助機構５０を仮支持姿勢に設定し、遊技盤２０の着脱作業を行う。まず、遊技盤２０を収容枠１１に装着する場合について説明する。作業者は、既述した前枠開放保持機構１５０および裏セット盤開放保持機構１６０を利用して前枠２および裏セット盤３０を図４に示すように開放保持させた状態で、図中に二点鎖線で示すように遊技盤２０を斜めに搬入する。そして遊技盤２０の左右位置が収容枠１１の左右位置と概略一致すると思われる位置で、一旦、遊技盤２０を遊技盤仮受け部材５２の支持面部５２ａ上に載置し、着脱補助機構５０に仮支持させる。
【００５３】
次いで、このように遊技盤２０が仮支持された状態で、遊技盤２０の位置を微調整し、右側縁上下に取り付けられた遊技盤揺動ヒンジ部材２２，２３を収容枠１１側の固定ヒンジ部材１２，１３に位置合わせして係合させる。前述したように、支持面部５２ａ上面の高さ位置は収容枠１１上面の高さ位置よりもわずかに高く設定されており、作業者は遊技盤２０(化粧板２１)の下端面を支持面部５２ａに支持させた状態で、遊技盤２０の前後・左右位置を微調整しあるいは支持面部を支点として水平および垂直面内に自由に遊技盤２０を傾動させることができる。このため、作業者は容易に遊技盤揺動ヒンジ部材２２，２３を固定ヒンジ部材１２，１３に位置合わせして係合させることができる。
【００５４】
こうして上下のヒンジ部材１２，２２、１３，２３が相互に係合されると、遊技盤２０はこれらのヒンジ部材の係合軸まわりに横開き開閉可能になる。そこで、作業者は遊技盤２０を前方に押圧して支持面部５２ａ上を滑らせ、遊技盤２０を収容枠１１に収容させる。そして閉鎖クランプ１４を利用して化粧板２１の裏面側を係止し遊技盤２０を収容枠１１に係止保持させる。
【００５５】
あとは、前述したと逆の手順（図８(C)→(B)→(A)）で着脱補助機構５０を折りたたみ、裏セット盤開放保持機構１６０による裏セット盤３０の開放保持を解除して裏セット盤３０を前枠２の裏側を覆うように閉じて閉鎖レバー３４により閉鎖保持させ、前枠開放保持機構１５０による前枠２の開放保持を解除して前枠２を外枠１に閉鎖させることで、通常の遊技状態に復帰される。
【００５６】
一方、遊技盤２０を収容枠１１から取り外す場合には、上記と同様にして前枠２および裏セット盤３０を開放保持させ着脱補助機構５０を仮支持状体に設定した状態で、閉鎖クランプ１４による遊技盤２０の閉止状態を解除させ、化粧板２１の上縁部に指をかけて遊技盤２０を手前に引き出し、遊技盤を横開きしてその下面を支持面部５２ａに仮支持させる。
【００５７】
次いで、遊技盤２０が仮支持された状態で、遊技盤２０を搬出するのに適宜な部位、例えば化粧板２１の左右側縁部を把持し、遊技盤２０を上方に引き上げて遊技盤揺動ヒンジ部材２２，２３と固定ヒンジ部材１２，１３との係合を解除させる。あるいは、支持面部５２ａを支点として遊技盤２０を左傾させ、遊技盤揺動ヒンジ部材２２，２３と固定ヒンジ部材１２，１３との係合を解除させる。そして、遊技盤２０を図４中に二点鎖線で示すように斜めに引き出し、遊技盤２０を収容枠１１から取り外す。
【００５８】
あとは、適宜新たな遊技盤や保守点検が終了した遊技盤を前述した手順で収容枠１１に取り付け、前述同様に着脱補助機構５０を折りたたんで、裏セット盤３０および前枠２を閉鎖することで、通常の遊技状態に復帰される。
【００５９】
従って、このような遊技盤の着脱補助機構５０によれば、大型かつ重量物の遊技盤であっても、熟練者によることなく容易に着脱作業することができる。また、着脱補助機構５０では、この機構を使用するときに遊技盤仮受け部材５２を遊技盤２０の着脱方向に突出変位させ、この機構を使用しないときに前枠２と裏セット盤３０との間に収容させる形態のため、収容枠１１を後方に延出させるような機構に比べて使用時における遊技盤仮受け部材５２の突出量を大きく取って着脱作業を容易化することができるとともに、前枠または裏セット盤の厚さを増加させることなくコンパクトに構成することができる。
【００６０】
次に、本発明に係る第２実施例の遊技盤の着脱補助機構６０について説明する。この着脱補助機構６０は、全体として前述した着脱補助機構５０と略同様の形態を備え、着脱補助機構５０における支持部材５３、この支持部材５３を支持する支持部５１ｄならびに支持受け部５２ｄの構成が異なっている。そこで、図８(A)(B)(C)に対応して、着脱補助機構６０における収容姿勢(A)〜中間状態(B)〜仮支持姿勢 (C)の変化を図１１に示し、以下この図を参照して着脱補助機構６０について簡潔に説明する。なお、着脱補助機構５０と同様構成の部分に同一番号を付して重複説明を省略する。
【００６１】
着脱補助機構６０は、遊技補助盤１５の裏面側にねじ固定されるベース部材５１′、ベース部材５１′の上部に揺動可能に枢支される遊技盤仮受け部材５２′、ベース部材５１′の下部に揺動可能に取り付けられて遊技盤仮受け部材５２′を突出変位させた角度位置で支持する支持部材６３を主体として構成される。
【００６２】
ベース部材５１′は、ベース部５１ａ、位置決め部５１ｂ、固定ヒンジ部５１ｃ、およびベース部５１ａの下端部から左右に張り出されその端部が直角に折り曲げられて後方に突出する支持部６１ｄなどからなり、支持部６１ｄの構成を除いて前述したベース部材５１と同様に構成される。左右の支持部６１ｄには上端が開放されて支持部材６３を受容可能なＵ字状の支持溝６１ｒが形成されている。左右の支持部６１ｄの内面間隔は、遊技盤仮受け部材５２′における左右の支持受け部６２の外面間隔よりもわずかに大きく設定されている。
【００６３】
遊技盤仮受け部材５２′は、支持面部５２ａ、逃げ部５２ｂ、揺動ヒンジ部５２ｃ、および支持面部５２ａの左右端部が直角に折り曲げられて下方に突出する支持受け部６２ｄなどからなり、支持受け部６２ｄの構成を除いて前述した遊技盤仮受け部材５２と同様に構成される。左右の支持受け部６２ｄの内面間隔はベース部５１ａの幅よりも幾分大きく設定されるとともに、各支持受け部６２ｄには支持部材６３を摺動可能に支持する長孔状の支持受け孔６２ｒが形成されている。
【００６４】
支持部材６３は、全体として上辺の一部が開いた角形リング形態をなし、左右の支持溝６１ｒと係脱可能な支持バー部６３ａ、支持バー部の左右が直角に折り曲げられて平行に延びる支持脚部６３ｂ、左右支持脚部６３ｂの先端が支持バー部６３ａと平行に左右内側に屈曲された摺動軸部６３ｃなどから構成される。支持部材６３は、所定線径のみがき鋼棒を曲げ加工し所要の表面処理を施して構成される。
【００６５】
遊技補助盤裏面の機構取付部１６には、前述同様の取付ボス１６ａ、位置決めピン１６ｐが突出成形されるとともに、収容枠１１の下方のリブには支持バー部６３ａの幅に合わせて凹状の切り欠き溝１６ｇが形成されている。
【００６６】
遊技盤仮受け部材５２′は、前述同様に枢結ピン５５を利用してベース部材５１′に揺動可能に枢結され、支持部材６３は上辺を開くように弾性変形させて左右の摺動軸部６３ｃを左右の支持受け孔６２ｒに係合させる。そして、位置決め部５１ｂに形成された２カ所の位置決め孔５１ｐを、遊技補助盤１５側の位置決めピン１６ｐに嵌合させて位置決めし、ねじ孔にねじ５８を挿通させて取付ボス１６ａにねじ止めすることにより、部分組立体が所定位置に位置決め固定される。そして、このように構成された着脱補助機構６０は、収容姿勢と仮支持姿勢とに変化させることができる。
【００６７】
パチンコ機ＰＭが遊技に供される遊技時には、着脱補助機構６０は図１１(A)に示す収容姿勢に保持される。この収容姿勢では、遊技盤仮受け部材５２′が枢結ピン５５を揺動軸として垂下し、左右の支持受け部６２ｄがそれぞれベース部５１ａの左右側方に収容される。また、支持部材６３は、長穴状に形成された支持受け孔６２ｒを利用して摺動軸部６３ｃが支持受け孔６２ｒの上方に移動し、支持バー部６３ａが遊技補助盤１５の下方のリブに形成された切り欠き溝１６ｇに収容される。このように着脱補助機構６０はわずかな厚さおよび高さ寸法に折りたたむことができ、前枠２と裏セット盤３０との間にコンパクトに収容保持させることができる。
【００６８】
上記収容姿勢から、仮支持姿勢に変化させるときには、図１１(B)に示すように、遊技盤仮受け部材５２′の下端部を引き出すようにして枢結ピン５５まわりに揺動させ、遊技盤仮受け部材５２′とともに引き上げられる支持部材６３の支持バー部６３ａを左右支持部６１ｄの支持溝６１ｒ内に導入する。そして、遊技盤仮受け部材５２′を下方に揺動させて、支持バー部６３ａを支持溝６１ｒの下端部に、摺動軸部６３ｃを支持受け孔６２ｒの後端部にそれぞれ係合させることで、着脱補助機構６０が図１１(C)に示す仮支持姿勢に設定される。
【００６９】
仮支持姿勢では、遊技盤仮受け部材５２′が前述した着脱補助機構５０における遊技盤仮受け部材５２と同様の突出位置及び高さに配設され、前述同様に遊技盤２０を着脱して同様の効果を得ることができる。なお、左右の支持受け孔６２ｒの外側に位置する摺動軸部６３ｃにＥリング等を嵌着して位置ズレを防止する構成としてもてもよく、あるいは左右の摺動軸部６３ｃを図６中に二点鎖線で示したカラー５３ｋのような部材で連結固定することも好ましい実施形態である。また支持バー部６３ａに左右支持部６１の内面間隔に合わせたカラー等を固設してもよい。
【００７０】
次に、本発明に係る第３実施例の遊技盤の着脱補助機構７０について説明する。図１２〜図１５に着脱補助機構７０を示しており、まず、これらの図面を参照して着脱補助機構７０の構成について説明する。なお、図１２は着脱補助機構７０の構成を説明するための分解斜視図、図１３および図１４は仮支持姿勢にある着脱補助機構７０を裏面側から見た背面図および平面図、図１５は着脱補助機構７０における収容姿勢(A)と仮支持姿勢 (B)とを示す側断面図である。
【００７１】
着脱補助機構７０は、前枠２における遊技補助盤１５の裏面側にねじ固定されるベース部材７１、ベース部材７１の上部に揺動可能に枢支される遊技盤仮受け部材７２、ベース部材７１の下部に揺動可能に取り付けられて遊技盤仮受け部材７２を突出変位させた角度位置で支持する支持部材７３、および遊技盤仮受け部材７２に回動自在に取り付けられるローラ部材７４を主体として構成される。
【００７２】
ベース部材７１は、基板となるベース部７１ａと、このベース部７１ａの上下中間部に前方に凸形状に成形された位置決め部７１ｂ、ベース部７１ａの上端中央部が切り欠かれて左右に２分割されるとともにその上端部がカーリング成型されて形成された固定ヒンジ部７１ｃ、ベース部７１ａの下端部が左右に張り出されその端部が直角に折り曲げられて後方に突出する支持部７１ｄなどからなる。
【００７３】
ベース部７１ａにはベース部材７１を取り付けるための４カ所のねじ孔７１ｈが形成され、位置決め部７１ｂには前枠２に対するベース部材７１の左右方向位置を位置決めするための位置決め孔７１ｐ、カーリング成型された左右の固定ヒンジ部７１ｃには枢結ピン７５を受容して遊技盤仮受け部材７２を揺動可能に枢支する固定ヒンジ孔７１ｑ、左右の支持部７１ｄには支持部材７３を揺動可能に支持するための支持孔７１ｒがそれぞれ形成されている。ベース部材７１は、所定板厚の冷間圧延鋼板やステンレス鋼板等をパンチングやプレス成形等の公知の加工手段により図示する形状に成型し、必要に応じて所要の表面処理を行って構成する。
【００７４】
遊技盤仮受け部材７２は、遊技盤２０を支持するベースとしての支持ベース部７２ａと、この支持ベース部７２ａから前方に延び固定ヒンジ部７１ｃの間隔に合わせて左右側部が切り落とされるとともにその前端部がカーリング成型された揺動ヒンジ部７２ｃ、支持ベース部７２ａの後端部が支持部材の線形に合わせてＵ字状に曲げ成型された支持受け部７２ｄ、支持ベース部７２ａの左右端部が直角に折り曲げられて上方に突出するローラ支持片部７２ｅなどからなる。左右の揺動ヒンジ部７２ｃには枢結ピン７５を受容して左右の固定ヒンジ部７１ｃに揺動可能に支持される揺動ヒンジ孔７２ｑが形成され、左右のローラ支持片部７２ｅにはローラ枢結ピン７７を受容してローラ部材７４を回動可能に支持するローラ支持孔７２ｓが形成されている。
【００７５】
このように、固定ヒンジ部７１ｃおよび揺動ヒンジ部７２ｃをカーリング成型により構成して揺動機構を薄型に構成しているため、ベース部材７１を固定する取付ボス１６ａが遊技補助盤１５の前面側に突出することがなく、かつ遊技盤仮受け部材７２の揺動軸を収容枠１１の後方に突出させることなく収容枠の厚さ内に配設している。また、ベース部材における位置決め部７１ｂの突設位置は、図１５(A)に示すように、遊技盤仮受け部材７２を垂下させた収容姿勢において支持受け部７２ｄがこの位置決め部７１ｂの裏側（凹部）に収容されるように設定されている。なお、遊技盤仮受け部材７２は、ベース部材７１と同様の板材を用い同様の加工手段により形成される。
【００７６】
ローラ部材７４は、左右のローラ支持片部７２ｅの内面間隔に合わせて形成された円筒状のローラであり、例えば、ポリアセタール樹脂やポリエチレン、硬質ウレタン等の樹脂材料を射出成形等の成形手段で図示するローラ状に形成し、あるいはアルミ合金等の金属棒材の軸心にローラ枢結ピン７５を挿通させる軸孔７４ａを穿孔して図示するローラ形状に形成する。ローラ部材７４は、着脱補助機構７０が組み付けられ仮支持姿勢にされたときにローラ部材７４の頂部が収容枠１１の上面よりもわずかに高くなるように配設される。
【００７７】
支持部材７３は、支持受け部７２ｄの支持受け溝７２ｒと係脱可能な支持バー部７３ａと、この支持バー部の左右が直角に折り曲げられて平行に延びる支持脚部７３ｂ、左右支持脚部７３ｂの先端側が支持バー部７３ａと平行にそれぞれ左右外方に屈曲され端部に雄ネジが形成されるとともにその基端側にフランジ部が設けられた揺動軸部７３ｃなどから構成される。支持部材７３は、左右の支持脚部７３ｂの内面間隔がベース部材７１や遊技盤仮受け部材７２の左右幅、枢結ピン７５，７７の全長よりも幾分大きく設定されている。支持部材７３は、例えば所定線径のみがき鋼棒の両端に旋削や転造等によりねじ部を形成したうえで図示する形状に曲げ加工し、必要に応じて所要の表面処理を施すとともに、両側の所定位置にワッシャをカシメ締結しあるいはスナップリング等を嵌着固定して構成する。
【００７８】
ベース部材７１、遊技盤仮受け部材７２、支持部材７３およびローラ部材７４は、それぞれ枢結ピン７５、ローラ枢結ピン７７およびナット５７等を利用して組み立てられる。すなわち、遊技盤仮受け部材７２は、ベース部材７１の左右の固定ヒンジ部７１ｃの間に揺動ヒンジ部７２ｃを嵌挿して、固定ヒンジ孔７１ｑと揺動ヒンジ孔７２ｑとを連通させ、これらの孔部を貫通するように枢結ピン７５挿通させ、突出した先端側にＥリング７６を嵌着することで固定ヒンジ部７１ｃに揺動自在に枢結される。ローラ部材７４も同様に軸孔７４ａを左右のローラ支持孔７２ｓに位置合わせしてローラ枢結ピン７７を挿通させ、突出した先端側にＥリング７８を嵌着することでローラ支持片部７２ｅに回動自在に枢結される。また、支持部材７３は、左右支持脚部７３ｂ，７３ｂの間隔を狭めるように弾性変形させて、先端の雄ネジ部を左右の支持孔７１ｒ，７１ｒに挿通させ、突出した端部にナット５７，５７を螺合させることで支持部７１ｄ，７１ｄに揺動可能に支持される。
【００７９】
一方、遊技補助盤１５の裏面側には、上記のように部分組立された着脱補助機構７０を取り付けるための機構取付部１７が設けられている。機構取付部１７には、遊技補助盤１５から裏面方向に突出する壁面により枠状の凹部を形成し、位置決め部７１ｂと係合してベース部材７１の上下方向位置および角度姿勢を規定する係合枠１７ｂが形成され、この係合枠内に位置決め孔７１ｐと係合してベース部材７１の左右位置を規定する位置決めピン１７ｐが形成されている。また、この係合枠１７ｂの上下にはベース部７１ａに形成された４カ所のねじ孔７１ｈと位置整合するねじ受容部を有した円筒状の取付ボス１７ａが突出成型されている。
【００８０】
このため、作業者がベース部材７１の位置決め部７１ｂを係合枠１７ｂに係合させ、位置決め孔７１ｐを位置決めピン１７ｐに嵌合させることでベース部材７１が位置決めされ、各ねじ孔７１ｈにねじ５８を挿通させて取付ボス１７ａにねじ止めすることにより、ベース部材７１を含む部分組立体が遊技補助盤１５の所定位置に位置決め固定される。そして、このように構成された着脱補助機構７０は、図１５(A)(B)に示す収容姿勢と仮支持姿勢とに変化させることができる。
【００８１】
パチンコ機ＰＭが遊技に供される遊技時には、着脱補助機構７０が図１５(A)に示す収容姿勢に保持される。この収容姿勢では、遊技盤仮受け部材７２が枢結ピン７５を揺動軸として垂下し、先端の支持受け部７２ｄが位置決め部７１ｂの裏側の凹部に収容される。ここで、支持部材６３においては、左右の支持脚部７３ｂの内面間隔を枢結ピン７５やローラ枢結ピン７７の全長よりも幾分大きく設定しており、また支持脚部７３ｂは、仮支持姿勢を表す図１５(B)からも明らかなように、ベース部材７１と遊技盤仮受け部材７２と支持部材７３とで形成する直角三角形の斜辺に相当する。このため、支持部材７３は揺動軸部７３ｃを中心に前方に揺動させたときに、左右の支持脚部７３ｂがベース部７１および遊技盤仮受け部材７２の左右側方を通過可能であり、また先端の支持バー部７３ａは枢結ピン７５の上方を通過して遊技補助盤１５の裏面に当接するまで揺動させることができる。従って、着脱補助機構７０は、図１５(B)に示すように、わずかな厚さおよび高さ寸法に折りたたむことができ、前枠２と裏セット盤３０との間にコンパクトに収容保持させることができる。
【００８２】
上記のような収容姿勢から仮支持姿勢に変化させるときには、支持バー部７３ａを手前に引き出すように支持部材７３を揺動変位させ、遊技盤仮受け部材７２を枢結ピン５５まわりに上方に揺動させて、支持バー部７３ａを支持ベース部７２ａの下方に位置させる。次いで遊技盤仮受け部材７２を下方に揺動させて支持バー部７３ａを支持ベース部７２ａの下面に当接させ、支持バー部７３ａを後方に移動させて支持受け溝７２ｒに係合させる。これにより着脱補助機構７０が図１５(B)に示すような仮支持姿勢に設定される。
【００８３】
仮支持姿勢では、遊技盤仮受け部材７２が収容枠１１の裏面方向に突出した状態で係止され、ローラ部材７４の頂部が収容枠１１の上面よりもわずかに高い位置に配設される（図１３を参照）。支持部材７３は支持受け部７２ｄと支持部７１ｄとの間を繋ぐ梁として機能し、支持ベース部７２ａに上方から作用する荷重に抗して、遊技盤仮受け部材７２を仮支持姿勢に保持させる。支持バー部７３ａは支持受け部７２ｄの全幅にわたって支持受け溝７２ｒに係合保持され、ローラ部材７４に作用する荷重をこの係合部全体で支持する。また本構成の着脱補助機構７０ではベース部材７１と遊技盤仮受け部材７２との揺動機構として枢結ピン７５との係合長さが長い蝶番類似の構成としている。このため、遊技盤仮受け部材７２に大きな荷重が作用しても枢結部や係合部に損傷が生じたりねじれが生じたりすることがなく、耐荷重の大きな着脱補助機構となっている。
【００８４】
さて、このようにして仮支持姿勢に設定された着脱補助機構７０の作用について説明する。なお、遊技盤２０の着脱操作については第１実施例の着脱補助機構５０について既述しており、その操作の大半が同様であるため、ここでは、遊技盤２０を収容枠１１から取り外す場合についてのみ簡潔に説明する。
【００８５】
作業者は、既述した前枠開放保持機構１５０および裏セット盤開放保持機構１６０を利用して前枠２および裏セット盤３０を図４に示すように開放保持させ、着脱補助機構７０を仮支持状体に設定した状態で、閉鎖クランプ１４による遊技盤２０の閉止状態を解除させ、化粧板２１の上縁部に指をかけて遊技盤２０を手前に引き出し、遊技盤２０をローラ部材７４に仮支持させる。ローラ部材７４はその頂部の高さ位置が収容枠１１の上面よりも幾分高く配設されているが、ローラ部材７４の回動作用により円滑にローラ面に乗り上げ、遊技盤揺動ヒンジ部材２２，２３が固定ヒンジ部材１２，１３からわずかに浮き上がるようにしてローラ部材７４に支持される。
【００８６】
次いで、作業者は遊技盤２０を搬出するのに適宜な部位、例えば化粧板２１の左右側縁部を把持し、遊技盤２０を上方に引き上げて遊技盤揺動ヒンジ部材２２，２３と固定ヒンジ部材１２，１３との係合を解除させ、遊技盤２０を図４中に二点鎖線で示すように斜めに引き出し、遊技盤２０を収容枠１１から取り外す。
【００８７】
従って、このような遊技盤の着脱補助機構７０によれば、大型かつ重量物の遊技盤であっても、熟練者によることなく容易に着脱作業することができる。また、着脱補助機構７０では、この機構を使用するときに遊技盤仮受け部材７２を遊技盤２０の着脱方向に突出変位させ、この機構を使用しないときに前枠２と裏セット盤３０との間に収容させる形態のため、収容枠１１を後方に延出させるような機構に比べて使用時における遊技盤仮受け部材７２の突出量を大きく取って着脱作業を容易化することができるとともに、前枠または裏セット盤の厚さを増加させることなくコンパクトに構成することができる。
【００８８】
なお、以上説明した第１実施例から第３実施例の着脱補助機構５０，６０，７０では、各機構の構成部分を適宜組み合わせて構成することができる。例えば、第１実施例の支持バー部５３ａにこの軸まわりに回動可能なローラ部材を付設するとともに、支持面部５２ａにローラ部材の頂部を突出させる孔部を形成し、仮支持姿勢において遊技盤の開放角度に応じて支持面部またはローラ部材で遊技盤を支持するように構成してもよい（図１２中の二点鎖線を参照）。また、第３実施例の遊技盤仮受け部材７２にローラ部材７４を設けずに、第１実施例の遊技盤仮受け部材５２のように逃げ部５２ｂおよび支持受け部５２ａを設けて支持面部で遊技盤を支持するように構成してもよい。
【００８９】
また、第１実施例から第３実施例の着脱補助機構５０，６０，７０では、遊技盤仮受け部材５２，６２，７２がベース部材５１，６１，７１を介して揺動可能に支持されるともに、支持部材５３，６３，７３がベース部材に形成された支持部に支持される構成を例示したが、ベース部材を用いることなく、遊技盤仮受け部材を遊技補助盤に直接的に揺動可能に支持させ、あるいは支持部材の支持部を遊技補助盤に形成する構成とすることもできる。
【００９０】
次に、本発明に係る第４実施例の遊技盤の着脱補助機構８０について説明する。図１６〜図１９に着脱補助機構８０を示しており、これらの図面を参照して着脱補助機構８０について説明する。なお、図１６は着脱補助機構８０の構成を説明するための分解斜視図、図１７〜図１９はそれぞれ仮支持姿勢にある着脱補助機構８０の側面図（部分側断面図）、背面図および平面図である。
【００９１】
着脱補助機構８０は、前枠２における遊技補助盤１５の裏面側にねじ固定されるベース部材８１、ベース部材８１に水平旋回可能かつ上下方向（軸の延びる方向）に摺動可能に支持される支軸８２、支軸８２の上端部に結合された遊技盤仮受け部材８３、支軸８２に設けられた雌ネジ部８２ａに螺合されベース部８１に形成された係止溝８１ｓに沿って移動可能に取り付けられたサムスクリュー８５などから構成される。
【００９２】
ベース部材８１は、左右のベース部８１ａと、左右のベース部８１ａの間に支軸８２の軸径に合わせて円筒面状に曲げ加工され上下に延びる軸支持部８１ｂを主として構成され、左右ベース部８１ａの所定位置にはベース部材８１を固定するためのねじ孔８１ｈが形成され、軸支持部８１ｂにはサムスクリュー８５を案内するためにＬ字状に溝加工された係止溝８１ｓが形成されている。
【００９３】
係止溝８１ｓにおける水平溝部の溝幅はサムスクリューの雄ネジ部よりもわずかに大きめに設定されている。一方、上下に延びる鉛直溝部の溝幅は遊技盤仮受け部材８３を収容させた角度位置から遊技盤仮受け部材の上端面（支持面部８３ａ）が収容枠１１の下端面に当接しない角度位置まで旋回できるように、雄ネジ部が鉛直溝部内を左右に旋回できるように設定されている。ベース部材８１は所定板厚の金属板を公知の加工手段を用いて図示する形状に成型し、必要に応じて所要の表面処理を行って構成する。
【００９４】
支軸８２は、所定外径の金属パイプをベースとして構成され、所定の軸方向位置にパイプを貫通して雌ネジ部８２ａが形成されている。支軸８２の上端部には雌ネジ部８２ａの軸線に対して所定のラジアル方向角度（例えば雌ネジ部の軸線と遊技盤仮受け部材の延びる方向の相対角度が４５度）となるように、遊技盤仮受け部材８３が固着される。なお、図１６では雌ネジ部８２ａを表すためにベース部材８１の一部を破断して表示している。
【００９５】
遊技盤仮受け部材８３は、遊技盤２０を支持する支持面部８３ａと、この支持面部８３ａから前方に延びるとともに下方にオフセット成形された逃げ部８３ｂから構成される。支持面部８３ａは、遊技盤仮受け部材８３が後述する仮支持姿勢に係止されたときに支持面部８３ａの上面が収容枠１１の上面よりもわずかに高くなるように形成される。逃げ部８３ｂには支軸８２の内径と略同径の円孔が形成されており、この円孔の上方から支軸８２に段付プラグ状の固定部材を圧入する等の手段により、図示するように遊技盤仮受け部材８３が支軸８２の上端部に上記所定角度をもって固着される。なお、支持面部８３ａと逃げ部８３ｂとの間には、支持面部８３ａに作用する荷重によって遊技盤仮受け部材８３が撓み変形しないように、剛性を向上させるリブ８３ｃがプレス成形されている。
【００９６】
一方、遊技補助盤１５の裏面側には、着脱補助機構８０を取り付けるための機構取付部１８が形成されている。機構取付部１８には、支軸８２の外周面に合わせた支持面を有して上下に延びる支持レール部１８ｂ、ベース部８１ａに形成されたねじ孔８１ｈと位置整合するねじ受容部を有した円筒状の取付ボス１８ａが突出成型されている。また、収容枠１１にはこの機構取付部１８の右方（固定ヒンジ１２，１３側）に位置して収容枠１１から後方に突出する第２支持面部１８ｔが形成されている。
【００９７】
このように構成される各部材の組み付けに当たっては、ベース部材８１の軸支部８１ｂに支軸８２を係合させ、支軸８２の円筒外周面を支持レール部１８ｂに支持させるようにベース部材８１および支軸８２を機構取付部１８に配設する。次いでベース部材８１の４カ所のねじ孔１８ｈを位置決めボス１８ａと位置合わせし、裏面側からねじ５８を挿通させてねじ止めする。そして、サムスクリュー８５の雄ネジ部を係止溝８１ｓを通して支軸８２の雌ネジ部８２ａに螺合締結させることで、サムスクリュー８５がこの係止溝８１ｓに沿って移動する範囲内で支軸８２および遊技盤仮受け部材８３の上下および回転移動が許容され、サムスクリュー８５を締め込むことで支軸８２が当該位置でベース部材８１に係止保持される。
【００９８】
以上のようにして構成される着脱補助機構８０では、サムスクリュー８５を緩めて支軸８２を上下動および回転動させることで、遊技盤仮受け部材８３を各図に実線で示す仮支持姿勢と、二点鎖線で付記する収容姿勢とに変化させることができる。
【００９９】
すなわち、サムスクリュー８５を緩めて係止溝８１ｓに沿って支軸８２を上動させ、この係止溝８１ｓの上端位置から水平に延びる水平溝部に沿って支軸８２を右方向に水平旋回させることで、支持面部８３ａが水平旋回されて遊技補助盤１５の後方（すなわち遊技盤２０の着脱方向）に突出し、この位置でサムスクリュー８５を締め込むことで遊技盤仮受け部材８３が仮支持姿勢に保持される。仮支持姿勢では、遊技盤仮受け部材の支持面部８３ａに遊技盤２０（化粧板２１）を仮支持させることができ、この仮支持姿勢において既述した着脱補助機構５０，６０と同様に遊技盤２０を容易に着脱することができる。
【０１００】
遊技盤２０の着脱作業が終了した後には、サムスクリュー８５を緩めて遊技盤仮受け部材８３を左方向に水平旋回させ、サムスクリュー８５の雄ネジ部が係止溝８１ｓの鉛直溝部にかかる位置まで旋回させ、下方にスライド移動させて下端位置まで移動させる。この下端位置では支持面部８３ａが収容枠１１の下面よりも低く位置し、この下端位置で左回りに旋回させることで各図に二点鎖線で示すように遊技盤仮受け部材８３が収容枠１１の下部に収容され、この位置でサムスクリュー８５を締め込むことで収容姿勢に保持される。
【０１０１】
従って、このような遊技盤の着脱補助機構８０によれば、大型かつ重量物の遊技盤であっても、熟練者によることなく容易に着脱作業することができる。また、着脱補助機構８０では、この機構を使用するときに遊技盤仮受け部材８３を旋回させることで遊技盤２０の着脱方向に突出変位させ、この機構を使用しないときに前枠２と裏セット盤３０との間に収容させる形態のため、遊技盤仮受け部材８３を適宜大型化することが可能であり、使用時における遊技盤仮受け部材８３の突出量を大きく取って着脱作業を容易化することができるとともに、前枠または裏セット盤の厚さを増加させることなくコンパクトに構成することができる。
【０１０２】
なお、本実施例における機構取付部１８には収容枠１１から後方に突出する第２支持面部１８ｔが形成されており、遊技盤２０を取り外すときのように細かい位置決め操作が不要の場合には、着脱補助機構８０を収容姿勢にしたまま第２支持面部１８ｔのみを利用して遊技盤２０の取り外し作業を行うことも可能である。また、仮支持姿勢における支持部８３ａの高さ位置と第２支持面部１８ｔの高さ位置とを同一高さとすることにより両者を併用するように構成することもできる。なお、本実施例では係止溝８１ｓをＬ字状に形成した例を示したが、係止溝８１ｓは仮支持姿勢において上方から作用する荷重を支持可能な水平部を有し、収容姿勢において遊技盤仮受け部材８３を収容枠１１の下部に位置させるように構成されていればよく、例えば左右に延びる水平部と斜めに延びる斜面部とを設けてスロープ状に形成してもよい。
【０１０３】
次に、本発明に係る第５実施例の遊技盤の着脱補助機構９０について、図２０および図２１を参照して説明する。この着脱補助機構９０は前述した着脱補助機構８０と同様に上下摺動および回転動が可能な支軸および遊技盤仮受け部材を有し、支軸を上動および回動させることで遊技盤仮受け部材を仮支持姿勢と収容姿勢とに変位させる着脱補助機構である。なお、図２０は仮支持姿勢にある着脱補助機構９０の背面図および同機構における係止溝の部分拡大図、図２１は仮支持姿勢にある着脱補助機構９０の側面図（部分側断面図）および部分拡大図である。
【０１０４】
着脱補助機構９０は、遊技補助盤１５の裏面側にねじ固定されるベース部材９１、ベース部材９１に水平旋回可能かつ上下方向（軸の延びる方向）に摺動可能に支持される支軸９２、支軸９２の上端部に結合された遊技盤仮受け部材９３、遊技盤仮受け部材９３の先端側と支軸９２の下端部との間に張り渡された支柱９４、支軸９２に設けられた雌ネジ部に螺合されベース部９１に形成された係止溝９１ｓに沿って移動可能に取り付けられたボルト９５、支軸９２の上部に支軸の外周を取り巻くように配設されて上下方向に付勢力を発生するコイルバネ９６、支軸９２に挿通されてコイルバネ９６の下端面を支持するワッシャ９７などから構成される。
【０１０５】
ベース部材９１は、左右のベース部９１ａと、左右のベース部９１ａの間に支軸９２の軸径に合わせて円筒面状に曲げ加工され上下に延びる軸支持部９１ｂを主として構成され、左右ベース部９１ａの所定位置には前枠２に対するベース部材９１を位置決めするための２カ所の位置決め孔９１ｐおよびベース部材９１を固定するための４カ所のねじ孔が形成され、軸支持部９１ｂにはボルト９５の雄ネジ部を案内するために雄ネジ部の外径よりも幾分大きめの溝幅でコの字状に溝加工された係止溝９１ｓが形成されている。ベース部材９１は所定板厚の金属板を公知の加工手段を用いて図示する形状に成型し、必要に応じて所要の表面処理を行って構成する。
【０１０６】
支軸９２は、所定外径の金属パイプをベースとして構成され、所定の軸方向位置にパイプを貫通して雌ネジ部９２ａが形成されている。遊技盤仮受け部材９３は、遊技盤２０を支持する支持面部９３ａ、この支持面部９３ａから前方に延びるとともに下方にオフセット成形された逃げ部９３ｂ、支持面部の後端が下方に直角に折り曲げられて形成された支持受け部９３ｄなどから構成される。遊技盤仮受け部材９３は、例えば逃げ部９３ａに支軸９２の外径と略同一径の円孔を形成し、この円孔に支軸９２を挿通させて、支持面部の延びる方向をねじ孔部９２ａの軸線と同一方向合わせた状態で、カシメやスポット溶接の手段により支軸９２の上端部に固着される。なお、支持面部９３ａは、遊技盤仮受け部材９３が後述する仮支持姿勢に係止されたときに支持面部９３ａの上面が収容枠１１の上面よりもわずかに高くなるように設定される。また、支持面部９３ａと逃げ部９３ｂとの間には、支持面部９３ａに作用する荷重に対する抗力を向上させるリブ９３ｃがプレス成形されている。
【０１０７】
支柱９４は支柱部と、この支柱部の両端が平坦にプレスされて形成されたタブ部とからなり、上下のタブ部が平行になるように折り曲げられるとともに、上方のタブ部にボルトを螺合させる雌ネジが形成され、下方のタブ部にボルトを挿通させる円孔が穿設されて構成されている。
【０１０８】
一方、遊技補助盤１５の裏面側には、着脱補助機構９０を取り付けるための機構取付部１９が形成されている。機構取付部１９には、支軸９２の外周面に合わせた支持面を有して上下に延びる支持レール部１９ｂ、ベース部９１ａに形成された２カ所の位置決め孔９１ｐと係合してベース部材９１の位置を規定する位置決めピン１９ｐ、およびベース部材９１が位置決めされたときにベース部９１ａに形成された４カ所のねじ孔と位置整合するねじ受容部を有した円筒状の取付ボス１９ａが突出成型されている。
【０１０９】
このように構成される各部材の組み付けに当たっては、支軸９２の下端からコイルバネ９６およびワッシャ９７を挿通させ、ワッシャ９７を軸支部９１ｂの上方に位置させるようにベース部材９１に支軸９２を係合させ、このように係合させた状態のままベース部材９１および支軸９２を機構取付部１９に配設して支軸９２の前面側を支持レール部１９ｂに支持させる。次いでベース部材９１の２カ所の位置決め孔９１ｐを位置決めピン１９ｐに嵌合させて位置決めし、４カ所のねじ孔１９ｈにねじ５８を挿通して位置決めボス１９ａにねじ止めする。
【０１１０】
次に、支柱９４の上端のタブ部を遊技盤仮受け部材９３の支持受け部９３ｄにねじ止めし、ボルト９５の雄ネジ部を支柱下端のタブ部における円孔、および軸支持部９１ｂに形成された係止溝９１ｓを通して支軸９２の雌ネジ部９２ａに螺合締結させる。これにより、ボルト９５がこの係止溝９１ｓに沿って移動可能な範囲内で支軸９２（および遊技盤仮受け部材９３並びに支柱９４）の上下および回転移動が許容され、ボルト９５を締め込むことで支軸９２が当該位置でベース部材９１に係止保持される。
【０１１１】
以上のようにして構成される着脱補助機構９０では、ボルト９５を緩めて支軸９２を上下動および回転動させることで、遊技盤仮受け部材９３を各図に実線で示す仮支持姿勢と、図２０中に二点鎖線で付記する収容姿勢とに変化させることができる。
【０１１２】
すなわち、図２０に二点鎖線で示す収容姿勢から、ボルト９５を緩めて支柱９４を手前に引き出すように支軸９２を左方向に旋回させると、ボルト９５の雄ネジ部が係止溝９１ｓの水平溝部に沿って移動し雄ネジ部が上下方向に延びる溝部に到達するまで遊技盤仮受け部材９３が水平旋回される。ボルト９５の雄ネジ部が上下に延びる溝部に到達すると、コイルバネ９６の付勢力によって支軸９２が上動され、係止溝９１ｓの上縁まで移動される。遊技盤仮受け部材９３と支柱９４はこの支軸９２の移動に伴って支軸９２とともに上動される
【０１１３】
次いで、この上端位置から右方に延びる水平溝部に沿って支軸９２を右方向に旋回させると、支持面部９３ａが遊技補助盤１５の盤面に直交して後方に突出する仮支持姿勢に位置し、この位置でボルト９５を締め込むことで遊技盤仮受け部材９３が仮支持姿勢に保持される。この仮支持姿勢では、遊技盤仮受け部材の支持面部９３ａに遊技盤２０（化粧板２１）を仮支持させることができ、既述した着脱補助機構５０，６０と同様に遊技盤２０を容易に着脱することができる。
【０１１４】
遊技盤２０の着脱作業が終了した後には、ボルト９５を緩めて遊技盤仮受け部材９３を左方に水平旋回させ、雄ネジ部が係止溝９１ｓの水平溝部の左端位置に至るまで旋回させた後に、支持面部９３を上方から押圧して上下に延びる溝部に沿って下方にスライド移動させ、下端位置から右方に延びる水平溝に沿って水平旋回させることで、図２０に二点鎖線で示すように遊技盤仮受け部材９３が収容枠１１の下部に収容され、この位置でボルト９５を締め込むことで収容姿勢に保持される。
【０１１５】
従って、このような遊技盤の着脱補助機構９０によれば、大型かつ重量物の遊技盤であっても、熟練者によることなく容易に着脱作業することができる。また、着脱補助機構９０では、この機構を使用するときに遊技盤仮受け部材９３を旋回させて遊技盤２０の着脱方向に突出変位させ、この機構を使用しないときに前枠２と裏セット盤３０との間に収容させる形態のため、遊技盤仮受け部材９３を適宜大型化することで使用時における遊技盤仮受け部材９３の突出量を大きく取って着脱作業を容易化することができるとともに、前枠または裏セット盤の厚さを増加させることなくコンパクトに構成することができる。
【０１１６】
また、着脱補助機構９０では支柱９４により遊技盤仮受け部材９３の先端部を支持する構成のため、比較的重量がある遊技盤でも遊技盤仮受け部材９３が撓んだり変形したりすることがなく、安定して遊技盤を仮支持することができる。さらに本機構では、コイルバネ９６により遊技盤仮受け部材９３を上方に付勢配設する構成のため、操作性が良好な着脱補助機構を提供できるとともに、遊技中などにボルト９５の締め込みが緩んだような場合であっても振動等を生じさせることがない着脱補助機構を提供することができる。
【０１１７】
なお、実施例では遊技盤２０が揺動ヒンジ部材２２，２３と固定ヒンジ部材１２，１３とで構成されるヒンジ機構により収容枠１１に横開き開閉可能に支持される例を開示したが、遊技盤についてヒンジ機構を有しない遊技機であっても同様に構成することができ、着脱補助機構５０〜９０を利用して遊技盤を仮支持させることで、収容枠に対する細かい位置合わせを行い、あるいは搬出しやすい部位を把持して容易に遊技盤の着脱作業を行うことができる。
【０１１８】
また、実施例では遊技盤仮受け部材において遊技盤を支持する支持面部を平坦に形成した例を開示したが、支持面部の後端側に上方に突出するストッパ部を設けてもよい。このような構成では遊技盤の取り外し作業中に急に遊技盤が滑り出たような場合でもストッパ部で遊技盤を受け止め、より効果的に遊技盤の落下を防止することができる。さらに、各実施例は着脱補助機構を遊技補助盤の裏面側に一カ所設けた例を示したが遊技盤の開閉形態等に応じて複数設ける構成としてもよい。
【０１１９】
さらに、実施例では収容枠１１が前枠２の裏面側に形成され、遊技盤２０が前枠２の裏面側から着脱される前枠後方着脱形態のパチンコ機ＰＭについて、本願発明を適用した構成例を説明したが、例えば、ガラス扉５を開いた状態で遊技盤を前枠の正面側から着脱する形態（前枠前方着脱形態）の遊技機や、遊技盤を裏セット盤の前面側または裏面側に着脱する形態（裏機構前方着脱形態または裏機構後方着脱形態）の遊技機についても、適宜変更して適用することが可能である。
【０１２０】
以上説明したように、本発明では、遊技盤２０を後方から着脱可能に収容する収容枠１１の下側に位置して、後方に出没変位可能な遊技盤仮受け部材が設けられ、遊技機ＰＭが遊技に供されるときに収容枠１１の下側（遊技機内部）に収容でき、遊技盤２０を着脱させるときに前枠２から後方に突出変位させて遊技盤２０を仮支持可能に配設されて、遊技盤の着脱補助機構が構成される。
【０１２１】
このような構成の遊技盤の着脱補助機構では、遊技盤を着脱する作業時に遊技盤仮受け部材を遊技盤の着脱方向（後方）に突出変位させて仮支持させることができるため、遊技盤を装着しようとする作業者は、遊技盤を一旦この遊技盤仮受け部材に仮支持させた状態で細かい位置合わせを行うことができ、これにより容易に遊技盤を装着させることができる。また遊技盤を取り外す際に一旦遊技盤仮受け部材に支持させることで、適宜搬出に適した位置を両手で把持して遊技盤を取り外すことができる。さらに、例えば取り外し作業中に遊技盤が急に滑り出たような場合であっても、滑り出た遊技盤が遊技盤仮受け部材に支持されるため、遊技盤を落下させるおそれを低減させることができる。従って、このような遊技盤の着脱補助機構を備えた遊技機によれば、熟練作業者でなくとも容易に遊技盤の着脱作業を行うことができ、作業性を向上させた遊技機を提供することができる。
【図面の簡単な説明】
【０１２２】
【図１】本発明に係る着脱補助機構を備える遊技機の一例として示すパチンコ機の正面図である。
【図２】上記パチンコ機の裏面側を示す背面図である。
【図３】上記パチンコ機における裏セット盤を取り外した状態の前枠の背面図である。
【図４】前枠開放保持機構および裏セット盤開放保持機構の作用を示す平面図である。
【図５】前枠開放保持機構の構成を示す背面図である。
【図６】第１実施例の着脱補助機構の構成を説明するための分解斜視図である。
【図７】収容姿勢にある第１実施例の着脱補助機構を裏面側から見た背面図である。
【図８】第１実施例の着脱補助機構の収容姿勢(A)〜中間状態(B)〜仮支持姿勢 (C)にわたる変化を示す説明図（側断面図）である。
【図９】仮支持姿勢にある第１実施例の着脱補助機構を裏面側から見た背面図である。
【図１０】仮支持姿勢にある第１実施例の着脱補助機構を上方から見た平面図（部分断面図）である。
【図１１】第２実施例の着脱補助機構における収容姿勢(A)〜中間状態(B)〜仮支持姿勢 (C)にわたる変化を示す説明図（側断面図）である。
【図１２】第３実施例の着脱補助機構の構成を説明するための分解斜視図である。
【図１３】仮支持姿勢にある第３実施例の着脱補助機構を裏面側から見た背面図である。
【図１４】仮支持姿勢にある第３実施例の着脱補助機構を上方から見た平面図である。
【図１５】第３実施例の着脱補助機構における収容姿勢(A)と仮支持姿勢 (B)とを示す説明図（側断面図）である。
【図１６】第４実施邸の着脱補助機構の構成を説明するための分解斜視図である。
【図１７】仮支持姿勢にある第４実施例の着脱補助機構の側面図（部分断面図）である。
【図１８】仮支持姿勢にある第４実施例の着脱補助機構の背面図である。
【図１９】仮支持姿勢にある第４実施例の着脱補助機構の平面図である。
【図２０】仮支持姿勢にある第５実施例の着脱補助機構の背面図である。
【図２１】仮支持姿勢にある第５実施例の着脱補助機構の側面図（部分断面図）である。
【符号の説明】
【０１２３】
Ｂ１  メイン基板
Ｂ２  発射装置制御基板
Ｂ３  球払出制御基板
Ｂ４  ランプ・音声制御基板
Ｂ５  電源基板
ＰＡ  遊技領域
ＰＭ  パチンコ機
ＳＢ  遊技島
１  外枠
２  前枠
３ａ，３ｂ  ヒンジ機構
４  施錠装置
５  ガラス扉
６  上球皿
７  下球皿
８  操作ハンドル
９  打球発射装置
１１  収容枠
１２，１３  固定ヒンジ部材
１４ａ，１４ｂ，１４ｃ  閉鎖クランプ
１５  遊技補助盤
１６  機構取付部（第１，第２実施例）
（１６ａ  取付ボス、１６ｃ  切り欠き部、１６ｐ  位置決めピン、
１６ｇ  切り欠き溝）
１７  機構取付部（第３実施例）
（１７ａ  取付ボス、１７ｂ  位置決め枠、１７ｐ  位置決めピン）
１８  機構取付部（第４実施例）
（１８ａ  取付ボス、１８ｂ  支持レール、１８ｔ  第２支持面部）
１９  機構取付部（第５実施例）
（１９ａ  取付ボス、１９ｂ  支持レール、１９ｐ  位置決めピン）
２０  遊技盤
２１  化粧板
２２，２３  遊技盤揺動ヒンジ部材
２４  案内レール（２４ａ  外レール、２４ｂ  内レール）
２５ａ，２５ｂ  風車
２６  入賞具
（２６ａ  一般入賞具、２６ｂ  始動入賞具、２６ｃ  アタッカー）
２７  アウト口
２８  図柄表示装置
３０  裏セット盤
３１  基枠体（３１ｗ  窓口）
３２，３３  裏セット盤揺動ヒンジ部材
３４  閉鎖レバー
４０  賞球装置
４１  タンク部材
４２  整列樋部材（４２ａ  偏向出口）
４３  賞球待機通路
４５  賞球カセット
４６  賞球検出センサ
４７賞球払出経路
５０  遊技盤支持機構（第１実施例）
５１  ベース部材
（５１ａ  ベース部、５１ｂ  位置決め部、５１ｃ  固定ヒンジ部、  ５１ｄ  支持部、５１ｈ  ねじ孔、５１ｐ  位置決め孔、  ５１ｑ  固定ヒンジ孔、５１ｒ  支持孔）
５２  遊技盤仮受け部材
（５２ａ  支持面部、５２ｂ  逃げ部、５２ｃ  揺動ヒンジ部、５２ｄ  支持受け部、５２ｑ  揺動ヒンジ孔、５２ｒ  支持受け孔、５２ｓ  切り欠き部）
５３  支持部材
（５３ａ  支持バー部、５３ｂ  支持脚部、５３ｃ  揺動軸部）
５５  枢結ピン
５６  Ｅリング
５７  ナット
５８  ねじ
６０  遊技盤支持機構（第２実施例）
５１′  ベース部材（６１ｄ  支持部、６１ｒ  支持溝）
５２′  遊技盤仮受け部材（６２ｄ  支持受け部、６２ｒ  支持受け孔）
６３  支持部材（６３ａ  支持バー部、６３ｂ  支持脚部、６３ｃ  摺動軸部）
７０  遊技盤支持機構（第３実施例）
７１  ベース部材
（７１ａ  ベース部、７１ｂ  位置決め部、７１ｃ  固定ヒンジ部、
７１ｄ  支持部、７１ｈ  ねじ孔、７１ｐ  位置決め孔、
７１ｑ  固定ヒンジ孔、７１ｒ  支持孔）
７２  遊技盤仮受け部材
（７２ａ  支持ベース部、７２ｃ  揺動ヒンジ部、７２ｄ  支持受け部、
７２ｅ  ローラ支持片部、７２ｑ  揺動ヒンジ孔、７２ｒ  支持受け溝、
７２ｓ  ローラ支持孔）
７３  支持部材（７３ａ  支持バー部、７３ｂ  支持脚部、７３ｃ  揺動軸部）
７４  ローラ部材（７４ａ  軸孔）
７５  枢結ピン
７６  Ｅリング
７７  ローラ枢結ピン
７８  Ｅリング
８０  遊技盤支持機構（第４実施例）
８１  ベース部材
（８１ａ  ベース部、８１ｂ  軸支持部、８１ｈ  ねじ孔、８１ｓ  係止溝）
８２  支軸（８２ａ  雌ネジ部）
８３  遊技盤仮受け部材（８３ａ  支持面部、８３ｂ  逃げ部、８３ｃ  リブ）
８５  サムスクリュー
９０  遊技盤支持機構（第５実施例）
９１  ベース部材
（９１ａ  ベース部、９１ｂ  軸支持部、９１ｐ  位置決め孔、９１ｓ  係止溝）
９２  支軸（９２ａ  雌ネジ部）
９３  遊技盤仮受け部材
（９３ａ  支持面部、９３ｂ  逃げ部、９３ｃ  リブ、９３ｄ  支持受け部）
９４  支柱
９５  ボルト
９６  コイルバネ
９７  ワッシャ
１５０  前枠開放保持機構
１５１  前枠開放保持部材（１５１ａ  揺動端部、１５１ｂ  係合端部）
１５２ａ，１５２ｂ  ワッシャ
１５３ａ，１５３ｂ  ナット
１５５  係合部材（１５５ａ，１５５ｂ  係合部）
１５８  掛支部材
１６０  裏セット盤開放保持機構
１６１  裏セット盤開放保持部材（１６１ａ  基端部、１６１ｂ  係止部）
【図１】
2005199106.tif 000003
【図２】
2005199106.tif 000004
【図３】
2005199106.tif 000005
【図４】
2005199106.tif 000006
【図５】
2005199106.tif 000007
【図６】
2005199106.tif 000008
【図７】
2005199106.tif 000009
【図８】
2005199106.tif 000010
【図９】
2005199106.tif 000011
【図１０】
2005199106.tif 000012
【図１１】
2005199106.tif 000013
【図１２】
2005199106.tif 000014
【図１３】
2005199106.tif 000015
【図１４】
2005199106.tif 000016
【図１５】
2005199106.tif 000017
【図１６】
2005199106.tif 000018
【図１７】
2005199106.tif 000019
【図１８】
2005199106.tif 000020
【図１９】
2005199106.tif 000021
【図２０】
2005199106.tif 000022
【図２１】
2005199106.tif 000023